(57)【特許請求の範囲】
【請求項１】
光源と、前記光源を収容するケース部と、前記ケース部に取り付けられて前記光源を保持する光源保持具と、を備える表示装置用照明装置であって、
前記光源保持具は、矩形板状の本体部と、前記本体部の第１面側に形成されて前記光源を保持するクリップ部と、前記本体部の前記第１面側とは反対側の第２面側に形成されて前記ケース部に対する当該光源保持具の取付を行うための係止部とを備え、
前記係止部は、互いに形状の異なる第１係止部と第２係止部とを有し、前記第１係止部が、前記本体部の前記第２面から垂設された基部と、前記基部の先端部に連結した片持ち状に形成され、前記基部から離間しつつ前記本体部側へ向けて延出する一対の弾性係止片とを有する一方、前記第２係止部が、前記本体部の前記第２面から垂設された板状の連結部と、前記連結部の先端から前記本体部の板面に沿って延出する撓み片とを有するものであり、
前記ケース部は、前記光源保持具の前記第１係止部を挿入可能な第１挿入孔と、前記光源保持具の前記第２係止部を挿入可能な第２挿入孔とを備え、
前記第１挿入孔は、前記一対の弾性係止片を前記基部側に弾性変形させることにより前記第１係止部を挿入可能な孔径を備えてなる一方、前記第２挿入孔は、前記本体部の長尺方向に沿う方向において、前記第２係止部の前記連結部との間にクリアランスが形成されるような孔長を有してなり、
前記光源保持具が前記ケース部に取り付けられた状態で、前記第２挿入孔内において、前記第２係止部の前記光源保持具の長尺方向に沿った相対変位が許容されてなることを特徴とする表示装置用照明装置。
【請求項２】
前記光源保持具が前記ケース部に取り付けられた状態で、前記第２挿入孔内における前記第２係止部の前記光源保持具の長尺方向に沿った相対変位の許容量が、前記第１挿入孔内における前記第１係止部の前記光源保持具の長尺方向に沿った相対変位の許容量よりも大きいことを特徴とする請求項１に記載の表示装置用照明装置。
【請求項３】
前記光源保持具が前記ケース部に取り付けられた状態で、前記第１係止部は、前記第１挿入孔内において、前記光源保持具の長尺方向に沿った相対変位が許容されていないことを特徴とする請求項１又は請求項２に記載の表示装置用照明装置。
【請求項４】
前記光源保持具は、前記本体部の前記第１面側に形成されて、それぞれ前記クリップ部よりも当該第１面から高く突出してなる第１のピン及び第２のピンを有し、
前記第１係止部が前記第１のピンと前記本体部を挟んで平面視重なる位置に、前記第２係止部が前記第２のピンと前記本体部を挟んで平面視重なる位置に形成されてなることを特徴とする請求項１ないし請求項３のいずれか１項に記載の表示装置用照明装置。
【請求項５】
前記撓み片は、前記第１係止部から離間する方向へ延出してなることを特徴とする請求項１ないし請求項４のいずれか１項に記載の表示装置用照明装置。
【請求項６】
前記光源保持具は高分子材料により成形されていることを特徴とする請求項１ないし請求項５のいずれか１項に記載の表示装置用照明装置。
【請求項７】
前記光源保持具が白色であることを特徴とする請求項１ないし請求項６のいずれか１項に記載の表示装置用照明装置。
【請求項８】
前記光源保持具が乳白色であることを特徴とする請求項１ないし請求項７のいずれか１項に記載の表示装置用照明装置。
【請求項９】
前記光源保持具が透明であることを特徴とする請求項１ないし請求項８のいずれか１項に記載の表示装置用照明装置。
【請求項１０】
請求項１ないし請求項９のいずれか１項に記載の表示装置用照明装置と、前記表示装置用照明装置からの光を利用して表示を行う表示パネルと、を備えることを特徴とする表示装置。
【請求項１１】
前記表示パネルが液晶を用いた液晶パネルであることを特徴とする請求項１０に記載の表示装置。
【発明の詳細な説明】
【技術分野】
【０００１】
本発明は、表示装置用照明装置、および表示装置に関する。
【背景技術】
【０００２】
液晶表示装置等の非発光表示装置においては、その照明のためにパネルの背面にバックライトユニットが設けられる（例えば特許文献１参照）。このバックライトユニットは、浅皿状に形成されたケースの内部に冷陰極管等の光源が多数並列して収容されたものである。【０００３】
これらの光源は、樹脂等により形成されたランプクリップ等の光源保持具によってケースの底面に固定される。このランプクリップは、ケース底面に対向する側の面にケースと係合する係合部が設けられ、それとは逆側の面に光源を保持するクリップ部が設けられたものである。
【特許文献１】特開２００４−２２２８７公報
【発明の開示】
【発明が解決しようとする課題】
【０００４】
ところが、ランプクリップ製造時の寸法公差によってケース上の固定位置に対しての係合部の位置ずれが生じると、このランプクリップのケースに対する組み付け不良が生じるおそれがある。また、表示装置の稼動時には光源からの熱によってケースの内部が高温となるため、装置の稼動−停止の繰り返しに伴ってケース内部の温度が大きく上下し、この温度変化に伴ってケースやランプクリップが伸縮する。ここで、熱膨張率は金属製のケースに比較して樹脂製のランプクリップの方が大であるため、ランプクリップの伸縮にケースが追従できなくなり、ランプクリップの変形等を引き起こすおそれがある。特に、表示装置が大型化するにつれて、これらの問題が顕著となることが予想される。【０００５】
本発明は、上記した事情に鑑みてなされたものであり、その目的は、光源を保持する保持具の成形精度のばらつきや温度変化による膨張収縮に対応可能な表示装置用照明装置、および表示装置を提供することにある。
【課題を解決するための手段】
【０００６】
上記の課題を解決するために、本発明に係る表示装置用照明装置は、光源と、前記光源を収容するケース部と、前記ケース部に取り付けられて前記光源を保持する光源保持具と、を備え、前記光源保持具は、矩形板状の本体部と、前記本体部の第１面側に形成されて前記光源を保持するクリップ部と、前記本体部の前記第１面側とは反対側の第２面側に形成されて前記ケース部に対する当該光源保持具の取付を行うための係止部とを備え、前記係止部は、互いに形状の異なる第１係止部と第２係止部とを有し、前記第１係止部が、前記本体部の前記第２面から垂設された基部と、前記基部の先端部に連結した片持ち状に形成され、前記基部から離間しつつ前記本体部側へ向けて延出する一対の弾性係止片とを有する一方、前記第２係止部が、前記本体部の前記第２面から垂設された板状の連結部と、前記連結部の先端から前記本体部の板面に沿って延出する撓み片とを有するものであり、前記ケース部は、前記光源保持具の前記第１係止部を挿入可能な第１挿入孔と、前記光源保持具の前記第２係止部を挿入可能な第２挿入孔とを備え、前記第１挿入孔は、前記一対の弾性係止片を前記基部側に弾性変形させることにより前記第１係止部を挿入可能な孔径を備えてなる一方、前記第２挿入孔は、前記本体部の長尺方向に沿う方向において、前記第２係止部の前記連結部との間にクリアランスが形成されるような孔長を有してなり、前記光源保持具が前記ケースに取り付けられた状態で、前記第２係止部の前記光源保持具の長尺方向に沿った相対変位が許容されてなることを特徴とする。
【０００７】
また、前記光源保持具が前記ケースに取り付けられた状態で、前記第２係止部の前記光源保持具の長尺方向に沿った相対変位の許容量が、前記第１係止部の前記光源保持具の長尺方向に沿った相対変位の許容量よりも大きいことを特徴とする。
【０００８】
また、前記第１係止部は、前記光源保持具の長尺方向に沿った相対変位が許容されていないことを特徴とする。
【０００９】
また、前記光源保持具は、前記本体部の前記第１面側に形成されて、それぞれ前記クリップ部よりも当該第１面から高く突出してなる第１のピン及び第２のピンを有し、前記第１係止部が前記第１のピンと前記本体部を挟んで平面視重なる位置に、前記第２係止部が前記第２のピンと前記本体部を挟んで平面視重なる位置に形成されてなることを特徴とする。
【００１０】
また、前記撓み片は、前記第１係止部から離間する方向へ延出してなることを特徴とする。
【００１１】
また、前記光源保持具は高分子材料により成形されていることを特徴とする。
また、前記光源保持具が白色であることを特徴とする。
また、前記光源保持具が乳白色であることを特徴とする。
また、前記光源保持具が透明であることを特徴とする。
【００１２】
また、本発明の表示装置は、上述した表示装置用照明装置と、前記表示装置用照明装置からの光を利用して表示を行う表示パネルと、を備えることを特徴とする。
【００１３】
また、本発明の表示装置は、前記表示パネルが液晶を用いた液晶パネルであることを特徴とする。
【発明の効果】
【００１４】
本発明によれば、温度変化に伴う伸縮や成形精度のばらつきを吸収できるから、光源保持具のケース部に対する組み付け不良や変形等を回避できる。
【００１５】
本発明によれば、特に寸法公差や伸縮の大きい長尺方向での相対変位が許容されているから、光源保持具の組み付け不良や変形等を確実に回避できる。
【００１８】
本発明によれば、光源からの光が光源保持具から反射、または光源保持具を透過するから、この光源保持具によって光が遮られることによる輝度の低下等の不具合を回避することができる。
【図面の簡単な説明】
【００１９】
【図１】図１は、第１実施形態の液晶ディスプレイの分解斜視図である。
【図２】図２は、第１実施形態の液晶ディスプレイの側断面図である。
【図３】図３は、第１実施形態のバックライトユニットの部分拡大図である。
【図４】図４は、第１実施形態のランプクリップの側面図である。
【図５】図５は、第１実施形態のランプクリップの背面図である。
【図６】図６は、第１実施形態においてケースに取り付け前のランプクリップを示す側断面図である。
【図７】図７は、第１実施形態においてケースに取り付け後のランプクリップを示す側断面図である。
【図８】図８は、第１実施形態においてケースに取り付け後のランプクリップを示す縦断面図である。
【図９Ａ】図９Ａは、第１実施形態のランプクリップの縮み変形時の様子を示す背面図である。
【図９Ｂ】図９Ｂは、第１実施形態のランプクリップの伸び変形時の様子を示す背面図である。
【図１０】図１０は、第２実施形態のランプクリップを長辺方向から見た側面図である。
【図１１】図１１は、第２実施形態のランプクリップの背面図である。
【図１２】図１２は、第２実施形態のランプクリップを短辺方向から見た側面図である。
【図１３】図１３は、第２実施形態においてケースに取り付け後のランプクリップを示す側断面図である。
【図１４】図１４は、第２実施形態のランプクリップの伸縮変形の様子を示す背面図である。
【符号の説明】
【００２０】
１…液晶ディスプレイ（表示装置）
１０…液晶パネル（表示用パネル）
２０…バックライト（表示装置用照明装置）
２１…バックライトケース（ケース部）
２２Ａ…内壁面（壁面）
２５、１１３…係止片挿入孔（係止孔、係止受け部）
２５Ｂ、１１３Ａ…孔縁
３１…冷陰極管（光源）
６１、１０１…ランプクリップ（光源保持具）
６６…軸部（位置決め部）
６７、１０９…係止片（係止部）
１０６…係止軸部（位置決め部）
Ｃ…クリアランス
【発明を実施するための最良の形態】
【００２１】
＜第１実施形態＞
以下、本発明を具体化した第１実施形態について、図１〜図９を参照しつつ詳細に説明する。【００２２】
図１には、本発明を具体化した液晶ディスプレイ１（本発明の表示装置に該当する）の分解斜視図を、図２には、この液晶ディスプレイ１の側断面図を示す。この液晶ディスプレイ１は、液晶パネル１０（本発明の表示用パネルに該当する）と、この液晶パネル１０の背面側から組み付けられるバックライトユニット２０（本発明の表示装置用照明装置に該当する）とを備え、これらがベゼル１３により一体に保持されるようになっている。なお、以下の説明において、液晶パネル１０の表示面側（図１の上方）を正面側、これとは逆側（図１の下方）を背面側とする。【００２３】
液晶パネル１０は、詳細には図示しないが、画素を形成するためのスイッチング素子（例えばＴＦＴ）、画素電極等をマトリックス状に設けた矩形板状のガラス基板１１の一対が所定のギャップを空けた状態で張り合わせられるとともに、両ガラス基板１１Ａ、１１Ｂ間に液晶が封入された周知の構成のものである。両ガラス基板１１Ａ、１１Ｂの外側面（液晶層とは反対側の面）には、それぞれガラス基板１１Ａ、１１Ｂとほぼ同じ大きさに形成された偏光板１２Ａ、１２Ｂが積層されている。【００２４】
この液晶パネル１０の背面側に取り付けられるバックライトユニット２０は、液晶パネル１０の背面に光源が配置される直下型のものであって、バックライトケース２１（本発明のケース部に該当する。以下、「ケース２１」と略記する）と、このケース２１内に収容される複数本の冷陰極管８１（本発明の光源に該当する）と、ケース２１の開口部に取り付けられる光学部材７１とを備えている。【００２５】
ケース２１は、液晶パネル１０とほぼ等しい大きさに形成された矩形板状の底板部２２と、この底板部２２の４辺からそれぞれ正面側に向かって立ち上げられた側壁部２３とを備えて、全体として正面側が開口した略浅皿状に形成されている。【００２６】
このケース２１内には、後述の冷陰極管８１からの光を反射するための反射シート３１が敷設されている。反射シート３１は、合成樹脂により形成された白色のシートであって、同形状に形成された２枚の分割シート３２を互い違いに組み合わせたものである。各分割シート３２は、ケース２１の底板部２２に整合する底板側シート片３２Ａがその長尺方向中央位置で二分割され、各分割片における長辺部に、ケース２１における長辺側の側壁部２３に整合する側壁側シート片３２Ｂがそれぞれ接合したものである。【００２７】
この反射シート３１上には、光源である冷陰極管８１が設けられている。この冷陰極管８１はケース２１の長辺方向に細長い管体により構成され、ケース２１の短辺方向に沿って複数本が並列されている。この冷陰極管８１の両端部は、ケース２１の両短辺部に配されたゴムホルダ５１に保持されるとともに、このゴムホルダ５１ごとランプホルダ４１によって一括して覆われている。また、冷陰極管８１の両端部よりもやや中央寄りの位置はランプクリップ６１（本発明の光源保持具に該当する）によって保持されている（図３参照）。【００２８】
ランプクリップ６１は、白色の合成樹脂により形成されており、ケース２１の底板部２２に取り付けられて、冷陰極管８１をその両端部よりも中央寄りの位置で保持するものである（図４、図５参照）。各ランプクリップ６１は、冷陰極管８１を４列一組で保持可能なものであって、一組（４列）の冷陰極管８１毎に２箇所づつ設けられているとともに、隣り合う組の冷陰極管８１を支持するランプクリップ６１が互い違いとなるようにして配置されている。【００２９】
このランプクリップ６１は、底板部２２の短辺方向（冷陰極管８１の長さ方向と直交方向）に沿って細長い矩形板状をなす本体部６２を備えている。この本体部６２の正面側（ケース２１の底板部２２と対向する面側と逆側）には、冷陰極管８１を保持するためのクリップ部６３が、本体部６２の長尺方向に沿って均等ピッチで４個並列されている。クリップ部６３は、互いに本体部６２の長尺方向に沿って拡開可能な一対の環状片６４を備えて、全体として周方向の一部が開口するＣ字リング状に形成されている。一対の環状片６４の先端部分には、互いに離間方向に屈曲されて冷陰極管８１のクリップ部６３への装着動作を案内するガイド部６４Ａが設けられている。環状片６４の開口部分から冷陰極管８１が押し込まれると、両環状片６４が拡開変形してこの冷陰極管８１の通過を許容し、冷陰極管８１が内部に進入すると両環状片６４が弾性復帰して冷陰極管８１の外周に弾接することでこの冷陰極管８１を保持する。【００３０】
また、４つのクリップ部６３のうち最も外側のクリップ部６３とその内側のクリップ部６３との間には、先端方向が先細りとなる円錐状のピン６５が設けられている。このピン６５はケース２１の開口付近まで延設されており、後述の光学部材７１を背面側から支持する。【００３１】
さらに、本体部６２の背面側、すなわち、ケース２１の底板部２２における内壁面２２Ａ（本発明の壁面に該当する）と対向する面側には、軸部６６（本発明の位置決め部に該当する）と係止片６７とが設けられている。軸部６６はランプクリップ６１をケース２１の底板部２２に対して位置決めするものであって、軸方向から見て十字形をなし、本体部６２の中央位置に垂設されている。【００３２】
また、係止片６７は、ランプクリップ６１を底板部２２に固定するためのものであって、軸部６６の両側方であってピン６５の裏面側に相当する位置に、３片ずつ２組が設けられている。なお、１組を構成する３片の係止片６７は、本体部６２の長辺方向に沿って並列されるとともに、中央の係止片６７を両隣の係止片６７に対して本体部６２の短辺方向にずらして配されている。各係止片６７は、本体部６２から垂設された基部６８と、その基部６８の先端に設けられる係止爪６８Ａとからなる。各基部６８は、それぞれ板面方向が本体部６２の長尺方向に沿う細板状に形成されるとともに、その基端部を中心として本体部６２の短辺方向に沿って撓み可能とされている。また、係止爪６８Ａは、係止片６７の先端から互いに本体部６２の短辺方向外側へ向けて突出されている。【００３３】
さらに、本体部６２の背面側において４つのクリップ部６３の裏側に相当する位置には、それぞれ本体部６２の短辺方向に沿うすじ状をなすとともに背面側に向かって突出するリブ６９が設けられている。【００３４】
一方、ケース２１の底板部２２には、それぞれ軸挿入孔２４と、この軸挿入孔２４を挟んで設けられた一対の係止片挿入孔２５（本発明の係止孔に該当する）とが、ランプクリップ６１の取付位置に対応して設けられている（図６〜図９参照）。軸挿入孔２４は、ランプクリップ６１における軸部６６の外径にほぼ等しい大きさに形成されて、軸部６６をほぼ緊密に挿入することができるようになっている。【００３５】
また、係止片挿入孔２５は、ランプクリップ６１の長尺方向に沿った細長形状に形成されている。この係止片挿入孔２５における短辺方向の幅は、一組の係止片６７のうち中央の係止片６７とその両隣の係止片６７との短辺方向の取り付け幅に整合した長さとされており、係止爪６８Ａが係止片挿入孔２５における長辺側の孔縁２５Ａに背面側から係止することで、ランプクリップ６１が底板部２２に対して固定される。一方、係止片挿入孔２５における長辺方向の長さは３つの係止片６７の並列長さに対してやや余裕を持って形成されており、両端部の係止片６７における外側（中央の係止片６７と対向する側と逆側）の端縁と係止片挿入孔２５における短辺側の孔縁２５Ｂとの間には所定のクリアランスＣが設定されている。このクリアランスＣは、液晶ディスプレイ１を通常に使用している場合において、バックライトユニット２０内部の温度が最も上昇したとき（約８０℃）のランプクリップ６１の最大伸び長さ分以上に設定すればよい。【００３６】
さらに、反射シート３１においてケース２１の軸挿入孔２４および係止片挿入孔２５に整合する位置には、取付孔３３が設けられて、ランプクリップ６１の軸部６６と係止片６７との挿通を許容するようになっている。この取付孔３３は、ランプクリップ６１における軸部６６、係止片６７、およびリブ６９の形成領域よりも一回り大きく、かつ本体部６１の外形形状よりも一回り小さな矩形状に形成されている。ランプクリップ６１は、軸部６６および係止片６７がこの取付孔３３を通過してそれぞれ軸挿入孔２４および係止片挿入孔２５に挿入されるとともに、リブ６９がこの取付孔３３を通過してケース２１の底板部２２に密着するようにして設置される。この状態では、本体部６２が反射シート３１から僅かに浮いた状態で反射シート３１における取付孔３３の周辺領域の上に張り出している。【００３７】
このケース２１の開口部には、線光源である冷陰極管８１からの光を拡散して面状の均一な光として液晶パネル１０側に出射するための光学部材７１が、この開口部を覆うように取り付けられている。この光学部材７１は、拡散シート７２、レンズシート７３、光学シート７４、拡散板７５がこの順に正面側から重ねられたものである。各シート７２、７３、７４、７５は液晶パネル１０とほぼ同じ大きさの矩形状に形成されて、ランプクリップ６１のピン６５によって背面側から支持されている。また、その正面側及び背面側には、この光学部材７１の取り付けのための枠状のフレーム７６がそれぞれ配されている。【００３８】
また、ケース２１の背面には、冷陰極管８１の点灯制御等を行うためのインバータユニット９１、外部回路ユニット９２が取り付けられている。【００３９】
次に、上記のように構成された本実施形態の作用および効果について説明する。【００４０】
液晶ディスプレイ１を組み立てる際には、ケース２１の底板部２２上に反射シート３１を敷設し、この反射シート３１の上からランプクリップ６１の軸部６６と係止片６７とをそれぞれ軸挿入孔２４と係止片挿入孔２５とに挿入する。そして、係止片６７における係止爪６８Ａを係止片挿入孔２５における長辺側の孔縁２５Ａに背面側から係止させることで、ランプクリップ６１を底板部２２に対して固定する。【００４１】
ここで、ランプクリップ６１の製造時における寸法公差等によって、全体の寸法や係止片６７の位置に多少の誤差が生じることがある。これにより、軸部６６および係止片６７と軸挿入孔２４、係止片挿入孔２５との位置関係にずれが生じ、ランプクリップ６１の底板部２２に対する組み付け不良が起こることが懸念される。しかし、本実施形態においては、係止片挿入孔２５における長辺方向の長さは一組の係止片６７の並列長さに対してやや余裕を持って形成されており、両端に位置する係止片６７の縁部と係止片挿入孔２５における短辺側の孔縁２５Ａとの間には所定のクリアランスＣが設定されている。これにより、軸挿入孔２４と両隣の係止片挿入孔２５との距離に対する軸部６６と両隣の係止片６７との距離の誤差がこのクリアランスＣによって吸収されるから、ランプクリップ１０１の底板部２２への組み付け不良を回避することができる。【００４２】
ランプクリップ６１を取り付けたら、端部にゴムホルダ５１を取り付けた冷陰極管８１をケース２１内に並列し、冷陰極管８１の管体をランプクリップ６１のクリップ部６３で支持する。そして、ゴムホルダ５１を覆うようにしてランプホルダ４１をケース２１に嵌め付ける。次いで、光学部材７１、フレーム７６、インバータユニット９１、外部回路ユニット９２をケース２１に組み付けることで、バックライトユニット２０の組み付けが完了する。最後に、このバックライトユニット２０を液晶パネル１０の背面側から組み付け、ベゼル１３により固定することで、液晶ディスプレイ１が完成する。【００４３】
この液晶ディスプレイ１を使用する際には、バックライトユニット２０に設けられた冷陰極管８１から出射した光が、直接に、および、背面側の反射シート３１によって反射されて光学部材７１に入射され、この光学部材７１によって拡散された状態で液晶パネル１０の背面側から照射されることによって、液晶パネル１０上の表示が視認される。このとき、冷陰極管８１の発熱によって、ケース２１内部の温度が徐々に上昇し、これに伴ってランプクリップ６１およびケース２１が熱膨張する。ここで、熱膨張率は金属製のケース２１に比較して樹脂製のランプクリップ６１の方が大であるため、ランプクリップの方がケース２１に対して大きく伸び変形する。一方、冬場などの寒い時期においては、環境温度の低下によりランプクリップ６１およびケース２１が収縮する。この場合も、熱膨張率の差によりランプクリップ６１の方がケース２１に対して大きく縮み変形する。このため、ケース２１がランプクリップ６１の伸縮に追従できず、ランプクリップ６１に撓み変形等が生じることが懸念される。【００４４】
しかし、上述したように、係止片挿入孔２５における長辺方向の長さは一組の係止片６７の並列長さに対してやや余裕を持って形成されており、両端に位置する係止片６７の縁部と係止片挿入孔２５における短辺側の孔縁２５Ａとの間には所定のクリアランスＣが設定されている。したがって、このクリアランスＣによりランプクリップ６１の伸縮変形が吸収できるから、ランプクリップ６１の撓み変形等を防止できる。【００４５】
特に、係止片挿入孔２５は、係止片６７に対してランプクリップ６１の長尺方向に沿った方向に余裕を持って形成されており、ランプクリップ６１の長尺方向に沿った方向への係止片６７の相対変位を許容するようにクリアランスＣが設定されている。これにより、ランプクリップ６１において短辺方向と比較して寸法公差や伸縮の影響が大きくなる長辺方向での寸法変化の影響を低減し、ランプクリップ６１の撓み変形等をより効果的に防止することができる。【００４６】
さらに、ランプクリップ６１には、ケース２１に対する位置決めを行うための軸部６６が、ケース２１の内壁面２２Ａと対向する面における中心位置に設けられている。このため、温度変化によってランプクリップ６１が伸縮する際には、中心位置が軸部６６により底板部２２に対して固定され、係止片６７がこの軸部６６に対して外側方向または内側方向に相対変位する。このように、ランプクリップ６１が軸部６６によって中心位置で位置決めされているので、ランプクリップ６１のケース２１に対する固定位置の変動を防ぐことができる。【００４７】
以上のように本実施形態によれば、ランプクリップ６１における係止片６７の縁部と、係止片挿入孔２５の孔縁２５Ａとの間にクリアランスＣが設定されており、これにより、係止片６７の係止片挿入孔２５内での相対変位が許容されている。このような構成によれば、ランプクリップ６１の温度変化に伴う伸縮変形、成形精度のばらつきを吸収できるから、このランプクリップ６１のケース２１に対する組み付け不良を回避できる。【００４８】
また、ランプクリップ６１の長尺方向に沿った方向への係止片６７の相対変位を許容するようにクリアランスＣが設定されている。これにより、ランプクリップ６１において短辺方向と比較して寸法公差や伸縮の影響が大きくなる長辺方向での寸法変化の影響を低減し、ランプクリップ６１の撓み変形等をより効果的に防止することができる。【００４９】
加えて、ランプクリップ６１には、ケース２１に対する位置決めを行うための軸部６６が設けられている。このような構成によれば、ランプクリップ６１の取り付け位置が軸部６６によって固定されているので、温度変化による伸縮に伴って係止片６７がケース２１の底板部２２に対して相対変位しても、ランプクリップ６１のケース２１に対する固定位置の変動を防ぐことができる。【００５０】
＜第２実施形態＞
以下、本発明の第２実施形態について、図１０〜図１４を参照しつつ詳細に説明する。【００５１】
本実施形態のランプクリップ１０１は、第１実施形態と同様に矩形板状の本体部１０２を備え、この本体部１０２の表裏面には第１実施形態と同様の形状のクリップ部１０３、ピン１０４、およびリブ１０５が設けられている（図１０〜図１２参照）。【００５２】
本体部１０２においてケース２１の底板部２２と対向する面とは逆側の面には、２つのピン１０４の裏側に相当する位置に、係止軸部１０６と係止片１０９とが設けられている。係止軸部１０６は、本体部１０２から背面側へ垂設された基部１０７と、この基部１０７の先端部から斜め上方へ、すなわち基部１０７から離間しつつ本体部１０２側へ向けて延出する一対の弾性係止片１０８とから構成される。両弾性係止片１０８は、基部１０７の先端部両側面に連結された片持ち状に形成され、その連結部分を支点として基部１０７に対して接離する方向に沿って弾性変形可能とされている。【００５３】
係止片１０９は、本体部１０２から背面側に垂設された板状の連結部１１０と、この連結部１１０の先端から外側方向、すなわち係止軸部１０６と離間する方向へ本体部１０２の板面と平行に延出される撓み片１１１とを備えている。撓み片１１１の先端部は、本体部１０２から離間する方向へ斜めに傾斜されている。【００５４】
一方、ケース２１の底板部２２には、各ランプクリップ１０１の取付位置において係止軸部１０６および係止片１０９に対応する位置にそれぞれ軸挿入孔１１２、係止片挿入孔１１３が設けられている（図１３、図１４参照）。このうち係止軸部１０６に対応する軸挿入孔１１２は、一対の弾性係止片１０８の開き幅にほぼ対応する径を備える円形状をなしている。一方、係止片１０９に対応する係止片挿入孔１１３は、本体部１０２の長尺方向に沿う方向の幅が連結部１１０の板厚に対してやや余裕をもって形成された矩形状をなしている。【００５５】
また、底板部２２上に敷設される反射シート３１にも、各ランプクリップ１０１の取付位置に取付孔１１４が設けられている。この取付孔１１４は、ランプクリップ１０１の係止軸部１０６、係止片１０９および４つのリブ１０５の形成領域よりも一回り大きく、かつ本体部１０２の外径形状よりも一回り小さな矩形状に形成されている。【００５６】
その余の構成については第１実施形態と同様であるので、同一の符号を付して説明を省略する。【００５７】
本実施形態の液晶ディスプレイを組み立てる際には、第１実施形態と同様にケース２１の底板部２２上に反射シート３１を敷設し、この反射シート３１の上からランプクリップ１０１の係止軸部１０６、係止片１０９を軸挿入孔１１２、係止片挿入孔１１３に挿入することで、ランプクリップ１０１を底板部２２に固定する。このとき、まず本体部１０２をケース２１の底板部２２に対して傾けつつ係止片１０９における先端の傾斜部分を係止片挿入孔１１３に差し入れ、撓み片１１１を本体部１０２の裏面側へ進入させていく。次いで、本体部１０２を底板部２２に対して平行な姿勢に戻しつつ撓み片１１１の先端方向へ僅かにスライドさせ、係止軸部１０６を軸挿入孔１１２に挿入する。ランプクリップ１０１が底板部２２に取り付けられた状態では、係止部における弾性係止片１０８の先端部に形成された段部が軸挿入孔１１２における裏側の周縁に対して係止されるとともに、係止片１０９における撓み片１１１が係止片挿入孔１１３における裏側の周縁に対して係止されることで、ランプクリップ６１が底板部２２に対して係止される。このとき、ランプクリップ６１のリブ１０５が底板部２２に当接し、このリブ１０５の厚さ分だけ本体部１０２が底板部２２から浮いた状態で反射シート３１における取付孔１１４の周辺領域の上に張り出すことで、この反射シート３１を押さえている。【００５８】
ここで、ランプクリップ１０１の製造時における寸法公差等によって、全体の寸法や係止軸部１０６、係止片１０９の位置に多少の誤差が生じることがある。これにより、係止軸部１０６−係止片１０９間の距離と軸挿入孔１１２−係止片挿入孔１１３間の距離とに誤差が生じ、ランプクリップ１０１の底板部２２に対する組み付け不良が起こることが懸念される。しかし、本実施形態では、係止片挿入孔１１３における本体部１０２の長辺方向に沿う方向の幅が、係止片１０９における連結部１１０の板厚に対してやや余裕を持って形成されており、連結部１１０における本体部１０２の短辺部に沿う板面と係止片挿入孔１１３の孔縁１１３Ａとの間に所定のクリアランスＣが設定されている。これにより、係止軸部１０６−係止片１０９間の距離の誤差がこのクリアランスＣによって吸収されるから、ランプクリップ１０１の底板部２２への組み付け不良を回避することができる。【００５９】
ランプクリップ１０１を取り付けたら、第１実施形態と同様に他の部材を順に組み付けていき、液晶ディスプレイを完成する。【００６０】
この液晶ディスプレイを使用する際には、バックライトユニット２０に設けられた冷陰極管８１から出射した光が、直接に、および、背面側の反射シート３１によって反射されて光学部材７１に入射され、この光学部材７１によって拡散された状態で液晶パネル１０の背面側から照射されることによって、液晶パネル１０上の表示が視認される。【００６１】
このとき、冷陰極管８１の発熱によって、ケース２１内部の温度が徐々に上昇し、これに伴ってランプクリップ１０１およびケース２１が熱膨張する。ここで、熱膨張率は金属製のケース２１に比較して樹脂製のランプクリップ１０１の方が大であるため、ランプクリップ１０１の方がケース２１に対して大きく伸び変形する。一方、冬場などの寒い時期においては、環境温度の低下によりランプクリップ１０１およびケース２１が収縮する。この場合も、熱膨張率の差によりランプクリップ１０１の方がケース２１に対して大きく縮み変形する。このため、ケース２１がランプクリップ１０１の伸縮に追従できず、ランプクリップ１０１に撓み等の変形が生じることが懸念される。【００６２】
しかし、上述したように、係止片挿入孔１１３の幅が係止片１０９の連結部１１０に対してやや余裕を持って形成されており、連結部１１０における本体部１０２の短辺部と平行な板面と係止片挿入孔１１３の孔縁１１３Ａとの間に所定のクリアランスＣが設定されている。したがって、このクリアランスＣによってランプクリップ１０１の伸縮変形に伴う係止軸部１０６−係止片１０９間の距離の変動が吸収されるから、ランプクリップ１０１の撓み変形等を回避することができる。【００６３】
また、本実施形態においてもランプクリップ１０１の長尺方向に沿った方向への係止片１０９の相対変位を許容するようにクリアランスＣが設定されている。これにより、ランプクリップ１０１において短辺方向と比較して寸法公差や伸縮の影響が大きくなる長辺方向での寸法変化の影響を低減し、ランプクリップ１０１の撓み変形等をより効果的に防止することができる。【００６４】
さらに、本実施形態においては、係止片１０９と係止片挿入孔１１３との間にのみクリアランスＣが設けられており、係止軸部１０６と軸挿入孔１１２との間にはクリアランスＣが設定されていない。これにより、係止軸部１０６は底板部２２に対する位置決めを行う位置決め部を兼ねることとなる。すなわち、ランプクリップ１０１が伸縮して係止片１０９が底板部２２に対して相対変位しても、係止軸部１０６の底板部２２に対する相対位置は変動しないため、ランプクリップ１０１のケース２１に対する固定位置の変動を防ぐことができる。【００６５】
本発明の技術的範囲は、上記した実施形態によって限定されるものではなく、例えば、次に記載するようなものも本発明の技術的範囲に含まれる。その他、本発明の技術的範囲は、均等の範囲にまで及ぶものである。
（１）上記実施形態では、係止片６７がランプクリップ６１に設けられ、係止片挿入孔２５がケース２１に設けられていたが、係止片がケースの底板部から突設され、係止孔がランプクリップに設けられていても良い。
（２）上記実施形態では、係止片挿入孔２５がランプクリップ６１の長辺方向に沿った係止片６７の相対変位を許容するものであったが、光源保持具の短辺方向に沿った係止片の相対変位を許容するものであってもよい。
（３）上記実施形態では、バックライトユニット２０は液晶パネル１０の背面側に光源を配置する直下型のものであったが、表示用パネルの側方に光源を配置するエッジライト型のものであってもよい。
（４）上記実施形態は、本発明を液晶ディスプレイ１に適用したものであったが、液晶表示装置に限らず、表示用パネルの裏面側にバックライト装置を備えた表示装置であれば本発明を適用可能である。
【図１】
0004206415.tif 000002
【図２】
0004206415.tif 000003
【図３】
0004206415.tif 000004
【図４】
0004206415.tif 000005
【図５】
0004206415.tif 000006
【図６】
0004206415.tif 000007
【図７】
0004206415.tif 000008
【図８】
0004206415.tif 000009
【図９Ａ】
0004206415.tif 000010
【図９Ｂ】
0004206415.tif 000011
【図１０】
0004206415.tif 000012
【図１１】
0004206415.tif 000013
【図１２】
0004206415.tif 000014
【図１３】
0004206415.tif 000015
【図１４】
0004206415.tif 000016